(57)【要約】【課題】ケースの外部に引き出されるリード線と回路基板との接続部分に荷重がかかることを抑制するとともに、同リード線からのノイズに起因する誤作動を抑制することができるリモコンを提供する。【解決手段】ケース２０の基板収容部３５の内部には、マイコン周辺回路６３ｂが実装された回路基板６４が配置されている。回路基板６４に電気的に接続されたリード線７５は、ケース２０の背面に設けられた引出し孔から同ケース２０の外部に引き出されている。そして、ケース２０は、基板収容部３５の内部でリード線７５が掛け回されておりリード線７５が引っ張られたときにリード線７５に加わる荷重を吸収する荷重吸収部４１を有する。また、リード線７５は、回路基板６４の厚さ方向にマイコン周辺回路６３ｂと重なっていない。【選択図】図４
2017118202.tif 000002
【特許請求の範囲】
【請求項１】
背面に引出し孔を有するケースと、
マイコン周辺回路が実装されており前記ケースの内部に収容された回路基板と、
前記回路基板に電気的及び機械的に接続されており前記引出し孔から前記ケースの外部に引き出されたリード線と、
を備えたリモコンであって、
前記ケースは、前記回路基板が内部に配置された基板収容部と、前記基板収容部の内部で前記リード線が掛け回されており前記リード線が引っ張られたときに前記リード線に加わる荷重を吸収する荷重吸収部とを備え、
前記リード線は、前記回路基板の厚さ方向に前記マイコン周辺回路と重なっていないことを特徴とするリモコン。
【請求項２】
請求項１に記載のリモコンにおいて、
前記荷重吸収部は、前記基板収容部の底部から突出し一列に並んだ複数の柱状の支持部から構成されており、
前記リード線は、複数の前記支持部に波状に掛け回されていることを特徴とするリモコン。
【請求項３】
請求項２に記載のリモコンにおいて、
前記荷重吸収部は、左右方向に並んだ３つの前記支持部から構成されており、
前記リード線は、前記荷重吸収部の３つの前記支持部のうち両端の２つの前記支持部に対しては上側に配置され、中央の前記支持部に対しては下側に配置され、３つの前記支持部にＳ字状に掛け回されていることを特徴とするリモコン。
【請求項４】
請求項２又は請求項３に記載のリモコンにおいて、
前記ケースは、前記ケースの内部に前記支持部の傾倒を抑制する傾倒抑制部を有することを特徴とするリモコン。
【請求項５】
請求項１乃至請求項４の何れか１項に記載のリモコンにおいて、
前記リード線は、第１のマークと、前記第１のマークよりも前記回路基板との接続部分に近い位置に設けられた第２のマークとを有し、
前記第１のマークのみが前記ケースの外部に露出している場合は、前記引出し孔からの前記リード線の引出し量が正常であり、前記第１のマークと前記第２のマークとの両方が前記ケースの外部に露出している場合は、前記引出し孔からの前記リード線の引出し量が正常な量よりも多いことを特徴とするリモコン。
【請求項６】
請求項１乃至請求項５の何れか１項に記載のリモコンにおいて、
浴室の壁面に取り付けられる浴室リモコンであることを特徴とするリモコン。
【発明の詳細な説明】
【技術分野】
【０００１】
本発明は、壁面に取り付けられるリモコンに関するものである。
【背景技術】
【０００２】
浴室の壁面に取り付けられる浴室リモコンは、例えば特許文献１に記載されているように、ケースと、ケースの内部に収容された回路基板とを備えている。回路基板には、電子部品が実装されるとともに、電源供給等に用いられる複数のリード線が、はんだ等により電気的に接続されている。これらリード線は、ケースの背面（即ち浴室の壁面側となる面）に設けられた引出し孔から同ケースの外部に引き出され、更に浴室の壁面に設けられた孔から浴室の壁の内部に引き込まれることになる。
【先行技術文献】
【特許文献】
【０００３】
【特許文献１】特開２０１５−８１７１４号公報
【発明の概要】
【発明が解決しようとする課題】
【０００４】
上記のような浴室リモコンが浴室の壁面に取り付けられる際、作業者によってリード線が引っ張られることによりリード線と回路基板との接続部分に荷重がかかり、リード線が回路基板から外れる虞があった。
【０００５】
また、回路基板にマイコン及びマイコン周辺回路が実装されている場合には、電源供給等に用いられるリード線がマイコン周辺回路に重なって配置されると、リード線から放射されるノイズの影響により、マイコン周辺回路が正常に作動しない虞があった。即ち、電源供給等に用いられるリード線からのノイズの影響によって、浴室リモコンが誤作動する虞があった。
【０００６】
本発明は、上記課題を解決するためになされたものであって、その目的は、ケースの外部に引き出されるリード線と回路基板との接続部分に荷重がかかることを抑制するとともに、同リード線からのノイズに起因する誤作動を抑制することができるリモコンを提供することにある。
【課題を解決するための手段】
【０００７】
上記課題を解決するリモコンは、背面に引出し孔を有するケースと、マイコン周辺回路が実装されており前記ケースの内部に収容された回路基板と、前記回路基板に電気的及び機械的に接続されており前記引出し孔から前記ケースの外部に引き出されたリード線と、を備えたリモコンであって、前記ケースは、前記回路基板が内部に配置された基板収容部と、前記基板収容部の内部で前記リード線が掛け回されており前記リード線が引っ張られたときに前記リード線に加わる荷重を吸収する荷重吸収部とを備え、前記リード線は、前記回路基板の厚さ方向に前記マイコン周辺回路と重なっていない。
【０００８】
この構成によれば、リモコンが壁面に取り付けられるときに作業者によってリード線が引っ張られた場合、荷重吸収部によってリード線に加わる荷重が吸収される。そのため、リード線と回路基板との接続部分に荷重がかかることを抑制することができる。また、リード線は、回路基板の厚さ方向にマイコン周辺回路と重ならないため、リード線からのノイズの影響によってマイコン周辺回路が正常に作動しないことが抑制される。従って、リード線からのノイズに起因するリモコンの誤作動を抑制することができる。
【０００９】
上記リモコンにおいて、前記荷重吸収部は、前記基板収容部の底部から突出し一列に並んだ複数の柱状の支持部から構成されており、前記リード線は、複数の前記支持部に波状に掛け回されていることが好ましい。
【００１０】
この構成によれば、リード線は、荷重吸収部の一列に並ぶ複数の支持部波状に掛け回されている。そして、リード線が引っ張られたときには、複数の支持部からなる荷重吸収部の周辺でリード線に加わる荷重が吸収されるため、荷重吸収部よりも、リード線と回路基板との接続部分の方へ当該荷重が伝達されることが抑制される。また、荷重吸収部を構成する各支持部は、基板収容部の底部から突出した柱状という簡単な形状である。従って、簡単な構成の荷重吸収部によって、リード線と回路基板との接続部分に荷重がかかることを抑制することができる。
【００１１】
上記リモコンにおいて、前記荷重吸収部は、左右方向に並んだ３つの前記支持部から構成されており、前記リード線は、前記荷重吸収部の３つの前記支持部のうち両端の２つの前記支持部に対しては上側に配置され、中央の前記支持部に対しては下側に配置され、３つの前記支持部にＳ字状に掛け回されていることが好ましい。
【００１２】
この構成によれば、荷重吸収部を構成する支持部の数が３つである。従って、少ない数の支持部によって、リード線が引っ張られたときにリード線に加わる荷重が、荷重吸収部よりも、リード線と回路基板との接続部分の方へ伝達されることを抑制することができる。また、荷重吸収部を構成する支持部の数が３つであるため、より容易に荷重吸収部にリード線を掛け回すことができる。
【００１３】
上記リモコンにおいて、前記ケースは、前記ケースの内部に前記支持部の傾倒を抑制する傾倒抑制部を有することが好ましい。
この構成によれば、リード線が引っ張られることにより支持部に荷重がかかり、同支持部が傾倒しようとしたとしても、傾倒抑制部によって支持部の傾倒が抑制される。従って、荷重吸収部からリード線が外れることを抑制することができる。
【００１４】
上記リモコンにおいて、前記リード線は、第１のマークと、前記第１のマークよりも前記回路基板との接続部分に近い位置に設けられた第２のマークとを有し、前記第１のマークのみが前記ケースの外部に露出している場合は、前記引出し孔からの前記リード線の引出し量が正常であり、前記第１のマークと前記第２のマークとの両方が前記ケースの外部に露出している場合は、前記引出し孔からの前記リード線の引出し量が正常な量よりも多いことが好ましい。
【００１５】
この構成によれば、引出し孔からケースの外部に引き出されたリード線を視認することにより、引出し孔からのリード線の引出し量が正常であるか否かを容易に判断することができる。従って、リード線を引っ張り過ぎたり、リード線を引き出す量が足りなかったりすることを抑制することができる。
【００１６】
上記リモコンにおいて、浴室の壁面に取り付けられる浴室リモコンであることが好ましい。
この構成によれば、浴室リモコンが浴室の壁面に取り付けられるときに作業者によってリード線が引っ張られた場合に、リード線と回路基板との接続部分に荷重がかかることを抑制することができる。また、リード線からのノイズの影響によってマイコン周辺回路が正常に作動しないことが抑制されるため、リード線からのノイズに起因する浴室リモコンの誤作動を抑制することができる。
【発明の効果】
【００１７】
本発明のリモコンによれば、ケースの外部に引き出されるリード線と回路基板との接続部分に荷重がかかることを抑制するとともに、同リード線からのノイズに起因する誤作動を抑制することができる。
【図面の簡単な説明】
【００１８】
【図１】実施形態の浴室リモコンを備えたリモコンシステムの概略図。
【図２】実施形態の浴室リモコンの正面図。
【図３】実施形態の浴室リモコンの分解斜視図。
【図４】実施形態における回路基板等が組み付けられた前ケースの背面図。
【図５】実施形態の浴室リモコンの断面図（図４に示す断面指示線５−５における浴室リモコンの断面図）。
【図６】実施形態における後ケースの部分拡大斜視図。
【図７】（ａ）及び（ｂ）は実施形態の浴室リモコンにおける引出し孔付近の部分拡大斜視図。
【発明を実施するための形態】
【００１９】
以下、リモコンの一実施形態について説明する。
図１に示すように、本実施形態の浴室リモコン１１は、浴室の壁面に設置され、通信ケーブル１２を介して給湯装置１３（具体的には給湯装置１３の図示しない制御部）と通信接続されるものである。また、給湯装置１３には、台所の壁面に設置される台所リモコン１４が通信ケーブル１５を介して通信接続される。そして、浴室リモコン１１と台所リモコン１４との間では、音声信号の送受信により音声通話ができるようになっている。
【００２０】
図３に示すように、浴室リモコン１１のケース２０は、ケース本体３０と、ケース本体３０の前面側に装着された化粧カバー５０とを備えている。また、ケース本体３０は、前ケース３１と、前ケースの後方（即ち浴室の壁面側）に配置された後ケース３２とを備えている。
【００２１】
前ケース３１は、四角形の板状をなす基板固定部３３と、基板固定部３３の外周を囲む周壁部３４とを有する。周壁部３４は、基板固定部３３の外周縁部から後方側に突出しており、基板固定部３３に対して直角に立設されている。そして、基板固定部３３と周壁部３４とによって凹状の基板収容部３５が構成されている。また、基板固定部３３が基板収容部３５の底部となっている。
【００２２】
基板固定部３３の前面側には、画像表示装置６１が配置されている。本実施形態の画像表示装置６１は、ＬＣＤ（液晶ディスプレイ）である。また、本実施形態の画像表示装置６１は、タッチパネルであり、目標給湯温度の設定等を行うために操作される入力装置も兼ねている。画像表示装置６１は、基板固定部３３と平行をなすように配置されている。また、画像表示装置６１の上端部には、フレキシブル基板６２が電気的に接続されている。そして、基板固定部３３は、その上端部の略中央部に、基板固定部３３を前後方向に貫通し左右方向に延びるスリット状をなす基板挿通孔３６を有する。フレキシブル基板６２は、この基板挿通孔３６から基板固定部３３の背面側（後方側）に引き出されている。
【００２３】
図３及び図４に示すように、前記基板収容部３５の内部には、複数の電子部品６３が実装された回路基板６４が配置されている。回路基板６４は、基板固定部３３よりも外形の小さい略四角形の平板状をなしている。そして、回路基板６４は、基板固定部３３の後方側に同基板固定部３３と平行をなすように配置され、複数の螺子６５にて基板固定部３３に固定されている。なお、回路基板６４は、前記基板挿通孔３６よりも下方に位置する。
【００２４】
図４及び図５に示すように、基板挿通孔３６から基板収容部３５の内部に引き出された前記フレキシブル基板６２は、回路基板６４の背面（即ち基板固定部３３と反対側の面）側まで回り込んでおり、その先端側の部分（即ち画像表示装置６１と反対側の端部）が基板収容部３５の内部に配置されている。更に、フレキシブル基板６２は、基板収容部３５の内部で回路基板６４の上端側の部分の略中央部に重なって配置されるとともに、同回路基板６４に電気的及び機械的に接続されている。即ち、画像表示装置６１は、フレキシブル基板６２によって回路基板６４に電気的に接続されている。
【００２５】
図４に示すように、回路基板６４に実装された電子部品６３には、メモリ、マイコン６３ａ及びマイコン周辺回路６３ｂが含まれている。本実施形態では、マイコン６３ａは、後方側から見て、回路基板６４におけるフレキシブル基板６２の右側となる位置に実装されている。また、回路基板６４におけるフレキシブル基板６２とマイコン６３ａとの間の領域Ａ１にマイコン周辺回路６３ｂが実装されている。このマイコン周辺回路６３ｂは、マイコン６３ａが備えるＣＰＵ（Central Processing Unit ）とメモリとの間に電気的に接続された電子部品６３である。なお、本実施形態では、後方側から見て、回路基板６４におけるフレキシブル基板６２の下方の領域Ａ２には、領域Ａ１に実装されたマイコン周辺回路６３ｂよりも高さ（回路基板６４からの突出量）の高い電子部品６３ｃが集中して実装されている。また、回路基板６４において領域Ａ１に実装されたマイコン周辺回路６３ｂは、回路基板６４の表面からの高さが０．５ｍｍ程度の高さの低い電子部品である。
【００２６】
また、基板収容部３５には、後方側から見て回路基板６４の左側方となる位置にマイクゴム６６にて保持されたマイク６７が収容されている。マイク６７は、基板固定部３３から後方側に突出した略円筒状をなすマイク保持部３７の内側にマイクゴム６６と共に配置されている。なお、基板固定部３３においてマイク保持部３７の内側の部分には、マイク６７にて集音するための図示しない集音孔が形成されている。また、マイク６７から延びる一対のリード線６８の先端部には、マイク側コネクタ部６９が接続されている。そして、マイク側コネクタ部６９が、回路基板６４に設けられた基板側コネクタ部７０に挿入されて接続されることにより、マイク６７は回路基板６４に電気的に接続されている。
【００２７】
また、基板固定部３３には、後方側から見て回路基板６４の右側方となる位置にスピーカ７１が固定されている。なお、基板固定部３３におけるスピーカ７１の前方側の部分には、スピーカ７１の音声を前ケース３１の外部に放出するための図示しない放音孔が形成されている。また、スピーカ７１から延びる一対のリード線７２の先端部には、スピーカ側コネクタ部７３が接続されている。そして、スピーカ側コネクタ部７３が、回路基板６４に設けられた基板側コネクタ部７４に挿入されて接続されることにより、スピーカ７１は回路基板６４に電気的に接続されている。
【００２８】
また、回路基板６４には、電源供給等に用いられる２本のリード線７５の一端部が接続されている。本実施形態では、この２本のリード線７５が前記通信ケーブル１２（図１参照）となっている。２本のリード線７５の一端部は、後方側から見てフレキシブル基板６２の左側となる位置で回路基板６４に接続されている。なお、２本のリード線７５の一端部は、はんだにより回路基板６４に電気的及び機械的に接続されている。
【００２９】
また、前ケース３１は、フレキシブル基板６２の上方で２本のリード線７５が掛け回された荷重吸収部４１を有する。この荷重吸収部４１は、リード線７５が引っ張られたときにリード線７５に加わる荷重を吸収するものである。荷重吸収部４１は、フレキシブル基板６２と同フレキシブル基板６２の上部に位置する周壁部３４との間で基板固定部３３から後方側に突出している。また、荷重吸収部４１は、後方側から見て、フレキシブル基板６２よりも上方でフレキシブル基板６２の左側となる位置に設けられている。
【００３０】
荷重吸収部４１は、フレキシブル基板６２よりも上方で基板固定部３３から前ケース３１の後方側に突出し左右方向に一列に並んだ３つの支持部４２から構成されている。各支持部４２は略円柱状をなしている。そして、図４及び図５に示すように、各支持部４２と各支持部４２の上方に位置する周壁部３４との間の間隔は、リード線７５の直径よりも広い。また、各支持部４２の高さ（突出方向の高さ）は、リード線７５の直径の２倍の長さよりも高く且つ周壁部３４の高さよりも低い。更に、荷重吸収部４１において、隣り合う支持部４２間の間隔（隣り合う支持部４２間の空間の幅）は、リード線７５の直径よりも広い。
【００３１】
そして、図４に示すように、後方側から見て、２本のリード線７５は、回路基板６４との接続部分からフレキシブル基板６２の左側を上方に延び、荷重吸収部４１を構成する３つの支持部４２に対して波状（Ｓ字を繰り返す形状）に掛け回されている。より詳しくは、２本のリード線７５は、荷重吸収部４１の３つの支持部４２のうち両端の２つの支持部４２に対しては上側に配置され、中央の支持部４２に対しては下側に配置され、３つの支持部４２に対してＳ字状に（波状に）掛け回されている。
【００３２】
図３に示すように、後ケース３２は、前ケース３１の外形と略等しい外形を有する四角形の板状をなしており、基板収容部３５の開口部を閉塞するように前ケース３１に対して重ね合わされている。そして、後ケース３２は、周壁部３４の先端部（後方側の端部）に後ケース３２の周縁部が溶着されることにより、前ケース３１に対して液密に固定されている。
【００３３】
図６に示すように、後ケース３２の前面（即ち前ケース３１側の面）には、格子状の補強リブ８１が設けられている。また、図５及び図６に示すように、後ケース３２は、その前面における荷重吸収部４１と対応する位置に、荷重吸収部４１を構成する各支持部４２の傾倒を抑制するための傾倒抑制部８２を有する。傾倒抑制部８２は、後ケース３２の前面から前方側に突出し、基板収容部３５の内部（ケース本体３０の内部）に位置している。更に、傾倒抑制部８２は、３つの支持部４２の先端部の周囲を囲んでいる。そして、各支持部４２の先端部と傾倒抑制部８２とは、互いの間に僅かな隙間を有して、各支持部４２の突出方向と直交する方向（本実施形態では前後方向と直交する方向）に対向している。このように、各支持部４２の先端部が傾倒抑制部８２によって囲まれることにより、各支持部４２に掛け回された２本のリード線７５は、各支持部４２の先端側から外れることが抑制されている。
【００３４】
また、図３及び図５に示すように、後ケース３２の中央部（即ちケース２０の背面の中央部）には、基板収容部３５の内部（ケース本体３０の内部）とケース２０の外部とを連通する引出し孔８３が形成されている。引出し孔８３には、ゴム製のグロメット８４が装着されている。グロメット８４は、引出し孔８３に内嵌されて同引出し孔８３の内周面に液密に密着している。また、グロメット８４は、基板収容部３５の内部（ケース本体３０の内部）とケース２０の外部とを連通するリード線挿通孔８４ａを有する。なお、図４に示すように、グロメット８４は、後方側から見ると、フレキシブル基板６２の下方であって、回路基板６４における領域Ａ１と領域Ａ２との間に位置している。
【００３５】
そして、後方側から見て、荷重吸収部４１からグロメット８４（引出し孔８３）までケース本体３０の内部を延びた２本のリード線７５が、グロメット８４の２つのリード線挿通孔８４ａをそれぞれ通って（即ち引出し孔８３を通って）ケース２０の外部に引き出されている。２本のリード線７５は、荷重吸収部４１からフレキシブル基板６２の後方側を通ってリード線挿通孔８４ａまで略直線的に延びている。即ち、２本のリード線７５は、フレキシブル基板６２とは回路基板６４の厚さ方向（本実施形態では前後方向に同じ）に重なっているが、後方側から見てフレキシブル基板６２の右側となるマイコン周辺回路６３ｂが実装された領域Ａ１には回路基板６４の厚さ方向に重なっていない。
【００３６】
また、図７（ｂ）に示すように、各リード線７５は、回路基板６４に接続される側の端部（図４参照）と反対側の端部付近に、第１のマークＭ１と第２のマークＭ２とを有する。第２のマークＭ２は、各リード線７５において、第１のマークＭ１よりも回路基板６４との接続部分に近い位置に設けられている。また、図７（ａ）に示すように、各リード線７５におけるリード線挿通孔８４ａ（引出し孔８３）からのケース２０の外部への引出し量が正常である場合に、第１のマークＭ１のみがケース２０の外部に露出するようになっている。なお、各リード線７５におけるリード線挿通孔８４ａ（引出し孔８３）からのケース２０の外部への引出し量が正常である場合とは、リード線７５が過剰に引っ張られておらず、且つ、基板収容部３５の内部でリード線７５が回路基板６４の厚さ方向にマイコン周辺回路６３ｂと重ならない正常な位置に配置されている場合である。更に、図７（ｂ）に示すように、各リード線７５におけるリード線挿通孔８４ａ（引出し孔８３）からのケース２０の外部への引出し量が正常な量よりも多い場合、即ち、リード線７５が過剰に引っ張られている場合に、第１のマークＭ１と第２のマークＭ２との両方がケース２０の外部に露出するようになっている。
【００３７】
従って、図４及び図７（ａ）に示すように、第１のマークＭ１のみがケース２０の外部に露出している場合には、ケース本体３０の内部でリード線７５が過剰に引っ張られたり、ケース本体３０の内部でリード線７５が余ってマイコン周辺回路６３ｂにかかったりすることなく、良好に配置されていると判断することができる。また、図４及び図７（ｂ）に示すように、第１のマークＭ１と第２のマークＭ２との両方がケース２０の外部に露出している場合には、リード線７５が過剰に引っ張られて、リード線７５と回路基板６４との接続部分に荷重がかかっている虞があることがわかる。もしくは、第１のマークＭ１と第２のマークＭ２との両方がケース２０の外部に露出している場合には、組付け時のミスによりリード線７５が荷重吸収部４１の支持部４２に掛け回されていない虞があることがわかる。また、第１のマークＭ１と第２のマークＭ２との両方ともがケース２０の外部に露出していない場合には、リード線７５においてケース２０の外部に引き出されるべき部分がケース本体３０の内部に残っており、回路基板６４の厚さ方向にマイコン周辺回路６３ｂに重なっている虞があることがわかる。
【００３８】
図２及び図３に示すように、化粧カバー５０は、ケース本体３０に対して前ケース３１側から装着されている。そして、化粧カバー５０は、ケース本体３０の前面及び側面（即ちケース本体３０の背面以外の部分）を被覆している。また、化粧カバー５０の前面の略中央部には、前ケース３１の前面側に配置された画像表示装置６１と対応する部分に当該画像表示装置６１をケース２０の前面から視認可能とするための表示孔５１が形成されている。そして、化粧カバー５０には、光透過性を有する透明な保護カバー５２が表示孔５１を塞ぐように装着されている。
【００３９】
また、化粧カバー５０の側面には、マイク６７の近傍となる位置に集音用の図示しない集音孔が形成されている。マイク６７は、この集音孔と、前記基板固定部３３に設けられた集音孔とを介して集音する。更に、化粧カバー５０には、スピーカ７１の前方側となる位置（基板固定部３３に設けられた前記放音孔の近傍となる位置）にスピーカ７１から放出される音をケース２０の外部に放出するための放音孔５３が形成されている。また、化粧カバー５０の前面には、給湯装置１３（図１参照）の運転のオン・オフをするために操作される電源スイッチ９１が露出する露出孔５４が形成されている。この電源スイッチ９１は、前ケース３１（基板固定部３３）の前面に固定されるとともに、回路基板６４に電気的に接続されている。
【００４０】
次に、本実施形態の作用について説明する。
回路基板６４に電気的及び機械的に接続された２本のリード線７５は、リード線７５が引っ張られたときにリード線７５加わる荷重を吸収する荷重吸収部４１に掛け回されている。従って、浴室リモコン１１が浴室の壁面に取り付けられるときに作業者によってリード線７５が引っ張られた場合、荷重吸収部４１によってリード線７５に加わる荷重が吸収される。即ち、リード線７５が引っ張られたときに、リード線７５において、荷重吸収部４１よりも、リード線７５と回路基板６４との接続部分の方へ、リード線７５が引っ張られたことによる荷重が伝達されることが抑制される。
【００４１】
また、各リード線７５は、回路基板６４の厚さ方向にマイコン周辺回路６３ｂと重ならないため、リード線７５からのノイズの影響によってマイコン周辺回路６３ｂが正常に作動しないことが抑制される。
【００４２】
次に、本実施形態の特徴的な効果を記載する。
（１）ケース２０の外部に引き出されたリード線７５が引っ張られたときにリード線７５と回路基板６４との接続部分に荷重がかかることを抑制することができる。その結果、リード線７５が回路基板６４から外れることを抑制できる。また、リード線７５からのノイズの影響によってマイコン周辺回路６３ｂが正常に作動しないことが抑制されるため、リード線７５からのノイズに起因する浴室リモコン１１の誤作動を抑制することができる。
【００４３】
（２）荷重吸収部４１は、基板固定部３３から突出し一列に並んだ３つの柱状の支持部４２から構成されている。更に、リード線７５は、荷重吸収部４１の一列に並ぶ３つの支持部４２に波状に掛け回されている。そして、リード線７５が引っ張られたときには、３つの支持部４２からなる荷重吸収部４１の周辺でリード線７５に加わる荷重が吸収されるため、リード線７５において、荷重吸収部４１よりも、リード線７５と回路基板６４との接続部分の方へ当該荷重が伝達されることが抑制される。また、荷重吸収部４１を構成する各支持部４２は、基板固定部３３（即ち基板収容部３５の底部）から突出した略円柱状という簡単な形状である。従って、簡単な構成の荷重吸収部４１によって、リード線７５と回路基板６４との接続部分に荷重がかかることを抑制することができる。
【００４４】
（３）荷重吸収部４１を構成する支持部４２の数が３つである。従って、少ない数の支持部４２によって、リード線７５が引っ張られたときにリード線７５に加わる荷重が、リード線７５において、荷重吸収部４１よりも、リード線７５と回路基板６４との接続部分の方へ伝達されることを抑制することができる。また、荷重吸収部４１を構成する支持部４２の数が３つであるため、より容易に各荷重吸収部４１にリード線７５を掛け回すことができる。また、荷重吸収部４１を構成する３つの支持部４２は、左右方向に一列に並んでいるため、荷重吸収部４１を設けるためのスペースを上下方向に狭めることができる。そして、本実施形態では、荷重吸収部４１は、前ケース３１においてフレキシブル基板６２と同フレキシブル基板６２の上部に位置する周壁部３４との間に設けられているため、ケース２０の上下方向の大型化を抑制しつつケース２０に荷重吸収部４１を設けることができる。
【００４５】
（４）リード線７５が引っ張られることにより支持部４２に荷重がかかり、同支持部４２が傾倒しようとした場合には、支持部４２の先端部が傾倒抑制部８２に接触するため、それ以上の支持部４２の傾倒が阻止される。即ち、傾倒抑制部８２によって支持部４２の傾倒が抑制される。従って、荷重吸収部４１からリード線７５が外れることを抑制することができる。
【００４６】
（５）各リード線７５は、第１のマークＭ１と、第１のマークＭ１よりも回路基板６４との接続部分に近い位置に設けられた第２のマークＭ２とを有する。そして、第１のマークＭ１のみがケース２０の外部に露出している場合は、引出し孔８３からのリード線７５の引出し量が正常であり、第１のマークＭ１と第２のマークＭ２との両方がケース２０の外部に露出している場合には、引出し孔８３からのリード線７５の引出し量が正常な量よりも多い。よって、引出し孔８３からケース２０の外部に引き出されたリード線７５を視認することにより、引出し孔８３からのリード線７５の引出し量が正常であるか否かを容易に判断することができる。従って、リード線７５を引っ張り過ぎたり、リード線７５を引き出す量が足りなかったりすることを抑制することができる。その結果、リード線７５と回路基板６４との接続部分に荷重がかかることを簡単に抑制できるとともに、リード線７５が回路基板６４の厚さ方向にマイコン周辺回路６３ｂと重なることを抑制することができる。
【００４７】
（６）本実施形態では、リード線７５は、後方側から見て、回路基板６４においてフレキシブル基板６２の下方の高さの高い電子部品６３ｃが集中して実装された領域Ａ２を通っていない。リード線７５は、後方側から見て、回路基板６４との接続部分からフレキシブル基板６２の左側を上方に延び、荷重吸収部４１に掛け回された後に、フレキシブル基板６２の後方側を通って引出し孔８３（リード線挿通孔８４ａ）からケース２０の外部に引き出されている。そのため、電子部品６３が実装された回路基板６４及びリード線７５の配置に要するスペースが前後方向（回路基板６４の厚さ方向に同じ）に広くなることが抑制されている。従って、リード線７５の配置によって浴室リモコン１１の厚みが増すことを抑制することができる。
【００４８】
なお、上記実施形態は、以下のように変更してもよい。
・各リード線７５は、必ずしも第１のマークＭ１及び第２のマークＭ２を備えなくてもよい。
【００４９】
・傾倒抑制部８２の形状は上記実施形態の形状に限らない。傾倒抑制部８２は、支持部４２の突出方向と直交する方向に各支持部４２と対向し、ケース本体３０の内部で傾倒しようとした支持部４２が接触可能な位置に設けられていればよい。例えば、傾倒抑制部８２は、後ケース３２の前面に凹設され、支持部４２の先端部が挿入された凹部であってもよい。また、ケース２０は、必ずしも傾倒抑制部を備えなくてもよい。
【００５０】
・上記実施形態では、荷重吸収部４１は、３つの支持部４２から構成されている。しかしながら、荷重吸収部４１を構成する支持部４２の数は、３つに限らず、２つ若しくは４つ以上であってもよい（即ち複数であればよい）。そして、荷重吸収部４１を構成する支持部４２が２つ若しくは４つ以上である場合においても、リード線７５は、上記実施形態と同様に、複数の支持部４２に波状に掛け回される。このようにしても上記実施形態の（２）と同様の効果を得ることができる。
【００５１】
・荷重吸収部４１を構成する３つの支持部４２は、必ずしも左右方向に一列に並んでいなくてもよい。例えば、荷重吸収部４１の３つの支持部４２は、左右方向に対して傾斜した方向に沿って一列に並んでいてもよい。
【００５２】
・支持部４２の形状は略円柱状に限らない。支持部４２は、柱状をなしていればよく、例えば、多角柱状であってもよい。
・上記実施形態では、荷重吸収部４１は３つの支持部４２から構成されている。しかしながら、荷重吸収部４１は、リード線７５が引っ張られたときにリード線７５に加わる荷重を吸収するものであれば、必ずしも複数の支持部４２から構成されなくてもよい。例えば、荷重吸収部４１は、基板固定部３３から後方側に突出した１本の柱状をなす支持突起から構成されていてもよい。この場合、リード線７５は、当該支持突起の外周を１周以上回るように同支持突起に巻回される。
【００５３】
・上記実施形態では、荷重吸収部４１は、後方側から見て、フレキシブル基板６２の左上に設けられている。しかしながら、ケース２０の内部において荷重吸収部４１が設けられる位置は、これに限らない。荷重吸収部４１は、ケース２０の内部において周壁部３４と回路基板６４との間に設けられればよい。但し、荷重吸収部４１は、ケース２０の内部で荷重吸収部４１からリード線挿通孔８４ａ（引出し孔８３）まで、回路基板６４の厚さ方向にマイコン周辺回路６３ｂと重ならないようにリード線７５を配置できる位置に設けられる。
【００５４】
・上記実施形態では、前ケース３１は、フレキシブル基板６２の上方に設けられた１つの荷重吸収部４１を有する。しかしながら、前ケース３１は、複数の荷重吸収部４１を有するものであってもよい。
【００５５】
・上記実施形態では、回路基板６４に電気的及び機械的に接続されて引出し孔８３からケース２０の外部に引き出されるリード線７５は、２本に限らず、３本以上であってもよい。
【００５６】
・上記実施形態では、リード線７５は、はんだにて回路基板６４に電気的及び機械的に接続されているが、リード線７５と回路基板６４との接続部分の構成はこれに限らない。例えば、リード線７５は、溶接により回路基板６４に接続されたものであってもよいし、回路基板６４に設けられた端子に挟持されることにより回路基板６４に接続されたものであってもよい。
【００５７】
・上記実施形態では、リード線７５は、浴室リモコン１１と給湯装置１３との間の信号の送受信を行う通信ケーブル１２となっている。しかしながら、浴室リモコン１１、給湯装置１３及び台所リモコン１４との間の通信が無線通信で行われる場合には、リード線７５は、浴室リモコン１１の給電のためだけに用いられてもよい。
【００５８】
・上記実施形態では、回路基板６４は基板固定部３３に螺子６５に固定されている。しかしながら、回路基板６４は、基板収容部３５の内部に配置されていれば、必ずしも基板固定部３３に固定されていなくてもよい。
【００５９】
・上記実施形態では、壁面に取り付けられるリモコンの一例として、浴室の壁面に取り付けられる浴室リモコン１１を挙げた。しかしながら、浴室の壁面に取り付けられる浴室リモコン１１以外の、壁面に取り付けられるリモコン（例えば、台所の壁面に取り付けられる台所リモコン１４や、リビングの壁面等に取り付けられるインターホン用のリモコン等）に上記実施形態や上記変更例を実施してもよい。
【符号の説明】
【００６０】
１１…リモコンとしての浴室リモコン、２０…ケース、３３…基板収容部の底部としての基板固定部、３５…基板収容部、４１…荷重吸収部、４２…支持部、６３ｂ…マイコン周辺回路、６４…回路基板、７５…リード線、８２…傾倒抑制部、８３…引出し孔、Ｍ１…第１のマーク、Ｍ２…第２のマーク。
【図１】
2017118202.tif 000003
【図２】
2017118202.tif 000004
【図３】
2017118202.tif 000005
【図４】
2017118202.tif 000006
【図５】
2017118202.tif 000007
【図６】
2017118202.tif 000008
【図７】
2017118202.tif 000009